(57)【要約】      （修正有）【課題】探索対象となっている無線タグを見失った場合でも、簡単に迅速にしかも効率よくリカバリできる無線タグ通信方法、無線タグ通信装置及び無線タグ通信プログラムを提供すること。【解決手段】アンテナと探索を行う特定の無線タグとの通信状態を通信状態検出判定部により検知し、通信状態が所定の値よりも良いときの送信電力値を記憶し、前記特定の無線タグとの送信電力を下げていき、通信状態が前記所定の値よりも悪くなったことを前記通信状態検出判定部により検知したとき、記憶されていた前記特定の無線タグに関する送信電力値に基づき、これよりも送信電力を上げて前記特定の無線タグと通信を行い、更に通信状態が悪くなったことを前記通信状態検出判定部により検知したとき、前記記憶された前記特定の無線タグに関する送信電力値に基づいて再設定を行わせる際に、表示画面上に通信状態が良好であった位置に移動するように促す表示を行う。【選択図】図１
2014150541.tif 000002
【特許請求の範囲】
【請求項１】
アンテナと探索を行う特定の無線タグとの通信状態を検知し、
前記特定の無線タグとの通信状態が所定の値よりも良いときの送信電力値を記憶し、
前記特定の無線タグとの送信電力を下げていき、
前記特定の無線タグとの通信状態が前記所定の値よりも悪くなったことを検知したとき、前記記憶されていた前記特定の無線タグに関する送信電力値に基づき、これよりも送信電力を上げて前記特定の無線タグと通信を行い、
更に通信状態が悪くなったことを検知したとき、前記記憶された前記特定の無線タグに関する送信電力値に基づいて再設定を行う際に、表示画面上に通信状態が良好であった位置に移動するように促す表示を行う
ことを特徴とする無線タグ通信方法。
【請求項２】
アンテナから探索を行う特定の無線タグに所定の送信電力で通信した時の通信状態を検知し、
前記特定の無線タグに関する検知通信状態値が第１の閾値よりも大きいことを検知したときには、送信電力値を記憶するとともに前記送信電力を下げ、
前記特定の無線タグに関する検知送信電力値が前記第１の閾値よりも小さくなったことを検知したときには前記送信電力を上げ、
前記特定の無線タグに関する検知通信状態値が前記第１の閾値より小さい第２の閾値より小さくなったことを検知したときには、前記特定の無線タグに関する送信電力値に基づき再設定を行う際に、表示画面上に通信状態が良好であった位置に移動するように促す表示を行う
ことを特徴とする無線タグ通信方法。
【請求項３】
探索を行う特定の無線タグにアンテナから所定の送信電力で信号を送信する無線部と、
前記無線部を介して前記アンテナから前記特定の無線タグに向けて信号を送信して通信した時の通信状態を検知する通信状態判定部と、
この通信状態判定部により検知された前記特定の無線タグに関する検知通信状態値が、第1の閾値より大きいと検知されたときには、その送信電力値を記憶する送信電力記憶部と、
前記特定の無線タグに関する検知通信状態値が、前記第1の閾値より大きいと検知されたときに前記無線部から送信させる信号の送信電力を下げ、
前記第1の閾値より小さいと検知されたときに前記無線部から送信させる信号の送信電力を上げるように制御する送信電力制御部と、
前記送信電力検知部により検知された前記特定の無線タグに関する検知通信状態値が前記第１の閾値より小さい第2の閾値より小さくなったと検知されたときに、前記送信電力記憶部に記憶されていた、前記特定の無線タグに関する記憶電力値に基づいて送信電力の再設定を行う際に、表示画面上に通信状態が良好であった位置に移動するように促す表示を行うと共に前記無線部から再設定した送信電力を送信する送信電力再設定手段と、
を有することを特徴とする無線タグ通信装置。
【請求項４】
前記再設定を行う入力が可能な入力部を、更に有することを特徴とする請求項３に記載の無線タグ通信装置。
【請求項５】
前記再設定が行われたときこの再設定が行われたことを知らせる通知部を、更に有することを特徴とする請求項４記載の無線タグ通信装置。
【請求項６】
前記無線タグに対して探索を開始する送信電力初期値を、前記無線タグと通信を行う環境において、前記送信電力記憶部に記憶された送信電力値に基づいて予め定めておくことを特徴とする請求項３乃至５のいずれかに記載の無線タグ通信装置。
【請求項７】
前記無線タグに対して探索を終了する送信電力最小値を、前記送信電力記憶部に記憶された送信電力値に基づいて予め定めておくことを特徴とする請求項３乃至６のいずれかに記載の無線タグ通信装置。
【請求項８】
アンテナから探索を行う特定の無線タグに所定の送信電力で通信した時の通信状態を検知し、
前記特定の無線タグに関する検知通信状態値が第１の閾値よりも大きいことを検知したときには、送信電力値を記憶するとともに前記送信電力を下げ、
前記特定の無線タグに関する検知送信電力値が前記第１の閾値よりも小さくなったことを検知したときには前記送信電力を上げ、
前記特定の無線タグに関する検知通信状態値が前記第１の閾値より小さい第２の閾値より小さくなったことを検知したときには、前記特定の無線タグに関する送信電力値に基づき再設定を行わせる際に、表示画面上に通信状態が良好であった位置に移動するように促す表示を行う
ことをコンピュータに実行させることを特徴とする無線タグ通信プログラム。
【発明の詳細な説明】
【技術分野】
【０００１】
本発明の実施形態は、非接触で無線タグ（RFID(Radio Frequency Identification)タグともいう）と通信する無線タグ通信方法、無線タグ通信装置及び無線タグ通信プログラムに関する。
【背景技術】
【０００２】
近年、無線タグシステムが注目され、導入が進んでいる。ICチップとアンテナから成る無線タグを物品に取り付け、ICチップ内のメモリに格納されたID情報を、非接触で無線タグ通信装置により読み取る。
【０００３】
無線タグシステムを使用した作業として、それぞれ無線タグが貼付された物品が多数あるエリア内で、無線タグ通信装置を使って、特定の無線タグを探索する作業がある。
【０００４】
当初は、比較的広い通信エリア内で送信部から質問電波を送信し、受信部にて無線タグからの応答信号により通信エリア内に存在するすべての無線タグを読み取る。無線タグが複数個あった場合には送信電力調整回路を制御して自動で通信エリアを縮小し、再度読み取り作業を繰り返す質問器が知られている。送信電力を絞るのと同様に受信感度を絞ることにより同様な効果が得られることも開示されている。
【０００５】
しかしながら、このような質問器では、通信エリア内に存在するＲＦタグの個数が１個になるまで送信電力を低下させており、何らかの原因により、使用者が質問器の向きを変えてしまったり、対象のＲＦタグの位置とは異なる方向に移動してしまった場合には、探索対象のＲＦタグを読み取ることができず、見失ってしまうことがあった。
【０００６】
また、通信エリアは、使用するＲＦタグの種類や、ＲＦタグを付ける物品の材質、ＲＦタグの貼付方法などにより異なる。使用者の初期位置と探索対象の位置の間の距離に対して、初期状態の送信電力が非常に大きく、通信エリアがあまりに広い場合には、探索対象でないＲＦタグを多く読み取ってしまうと共に、通信エリア内に存在するＲＦタグの個数が１個になるまでの送信電力の変更量が大きくなってしまい、探索が非効率で探索に長い時間を要することになる。
【先行技術文献】
【特許文献】
【０００７】
【特許文献１】特開２００９−９８９５１号公報
【発明の概要】
【発明が解決しようとする課題】
【０００８】
そこで本発明では、探索対象となっている無線タグを見失った場合でも、簡単に迅速にしかも効率よくリカバリできる無線タグ通信方法、無線タグ通信装置及び無線タグ通信プログラムを提供する。
【課題を解決するための手段】
【０００９】
上記課題を解決するために、アンテナと探索を行う特定の無線タグとの通信状態を通信状態検出判定部により検出し、前記特定の無線タグとの通信状態が所定の値よりも良いときの送信電力値を記憶し、前記特定の無線タグとの送信電力を下げていき、前記特定の無線タグとの通信状態が前記所定の値よりも悪くなったことを前記通信状態検出判定部により検出したとき、前記記憶されていた前記特定の無線タグに関する送信電力値に基づき、これよりも送信電力を上げて前記特定の無線タグと通信を行い、更に通信状態が悪くなったことを前記通信状態検出判定部により検出したとき、前記記憶された前記特定の無線タグに関する送信電力値に基づいて再設定を行わせる際に、表示画面上に通信状態が良好であった位置に移動するように促す表示を行うことを特徴とする無線タグ通信方法を提供する。
【図面の簡単な説明】
【００１０】
【図１】（ａ）は一実施形態に係る無線タグ装置の全体を示す図であり、（ｂ）はアンテナの断面図である。
【図２】一実施形態の全体の電気的構成を示す図である。
【図３】図２における質問応答生成検出部及び無線部の構成例を示す図である。
【図４】図３における通信状態検出判定部の構成例を示す図である。
【図５】図２における送信電力記憶部の構成例を示す図である。
【図６】実施形態の無線タグ通信装置が移動したときの通信可能範囲の変化を説明するための図である。
【図７】実施形態において無線タグの探索を行うための動作を説明するための図である。
【図８】図５に示す送信電力記憶部２４に記憶される電力値を説明するための図である。
【図９】無線タグの探索を開始するときの送信電力の初期値決定の動作を説明するための図である。
【図１０】図９において、初期値として決める送信電力値の選択又は算出を説明するための図である。
【図１１】図７において探索終了の最小値を決める動作を説明するための図である。
【発明を実施するための形態】
【００１１】
以下、一実施形態について、図面を用いて説明する。この実施形態の全体を図１（ａ）に示す。携帯型の無線タグ通信装置を例に挙げて説明する。
【００１２】
この無線タグ通信装置は、本体１１とこの本体１１にアンテナケーブル１２により接続されたアンテナ１３から成る。
【００１３】
本体１１は、使用者が入力するための入力キー１４や、実行する業務、通信装置の状態或は通信結果などを表示する表示部１５で構成される。アンテナ１３は、使用者がアンテナを持つ場合のグリップ１６や筐体１７などから構成される。図示しないが、アンテナと本体は、連結して一体化できるようになっていてもよい。
【００１４】
アンテナ１３は、一例として図１（ｂ）に示すように、板状の誘電体１３ａの一方の面に放射器１３ｂ、他方の面に地板(GND)１３ｃが構成された平面パッチアンテナある。アンテナの一方の面の中心に対して略垂直方向に最大利得Ｍを持つ指向性を有している。この無線タグ通信装置は、領域内に複数ある無線タグのうちの１つを予め特定して通信を行うものである。
【００１５】
この実施形態の通信装置の電気的構成の概略ブロック図を、図２に示す。予め特定されている無線タグには振幅変調した質問信号が送信され、当該無線タグから送られてきた応答信号は、直交復調される。
【００１６】
この無線タグ通信装置は、上述のアンテナ１３と、このアンテナ１３を介して無線タグと通信を行う無線部２０と、アンテナ１３から送信する質問信号を生成し無線タグから受信した応答信号の内容を検出し解読する質問応答生成検出部２１と、アンテナ１３と無線タグとの通信状態を検出し判定する通信状態検出判定部２２と、この判定結果に基づいてアンテナ１３から送信する送信電力を制御する送信電力制御部２３と、送信電力制御部２３により制御された送信電力を記憶する送信電力記憶部２４と、通信する無線タグの特定や特定された無線タグと通信ができなくなったときなどに再設定を外部から入力する入力部２５と、この装置の通信状態などを使用者に伝える通知部２６と、上位のコンピュータなどと通信を行うインターフェース（ＩＦ）部２７と、各部に電源を供給する電源部２８と、これら各部を全体として制御する全体制御部２９とを有する。
【００１７】
送信電力記憶部２４は記憶回路により構成され、後述するように送信電力制御部２３により制御された送信電力が、時系列的に記憶され、通信状態の良好なときの送信電力の最大値、最小値、もっとも新しい値（最新値）などが記憶される。
【００１８】
図２に示すように、入力部２５には上記入力キー１４とマウス２５ａが含まれており、通知部２６には上記表示部１５と所定の状態になったとき使用者に例えば音により警告を発するブザーから成る音声警告部２６ａが含まれる。また、入力部２５には、通信を行う無線タグを指定するための無線タグ指定部２５ｂと、追跡している無線タグをも失ったとき再設定を行う再設定指示部２５ｃも含まれており、入力キー１４またはマウス２５ａにより使用者が入力を行うことにより、無線タグの指定、及び再設定が行われる。電源部２８は、バッテリとこのバッテリの充放電を制御する制御回路を含む。
【００１９】
図２において、電源部２８から各部に電源が供給され、全体制御部２９は、各部を制御しているが、見易くするためにこれらを意味する矢印は示していない。
【００２０】
無線部２０及び質問応答生成検出部２１の構成例を図３に示す。無線部２０は、第１端子ａをアンテナ１３に接続された方向性結合器例えばサーキュレータ３０と、この第２端子ｂに出力端子を接続された電力増幅部３１と、この電力増幅部３１の入力端子に出力端子を接続された振幅変調部３２と、サーキュレータ３０の第３端子ｃに各々入力端子を接続された乗算器３３ａ、３３ｂと、乗算器３３ａ及び振幅変調部３２に発振出力を供給する局部発振器３４と、局部発振器３４の出力を９０°移相し乗算器３３ｂに移相出力を供給する９０度移相器３５とを有する。
【００２１】
サーキュレータ３０は、第２端子ｂ、第１端子ａ、第３端子ｃの順序の信号の方向性を有しており、第２端子ｂに供給される電力増幅部３１の出力は、第１端子ａからアンテナ１３に供給され、第１端子ａに入ってくるアンテナ１３からの受信信号は、第３端子ｃから乗算器３３ａ，３３ｂに供給されることになる。
【００２２】
電力増幅部３１には、送信電力制御部２３の出力が制御信号として供給され、電力増幅器の増幅度を増減制御することにより、アンテナ１３から送信される電力の大きさを変える。なお、全体制御部２９または送信電力制御部２３には、例えばISO18000-6 typeCに準拠したRFIDタグの通信プロトコル機能が搭載される。送信電力制御部２３からの送信電力設定信号によって、送信電力が適切に設定できるようにできる。
【００２３】
無線タグがバッテリを持たないパッシブタグの場合には、先ず、無変調波を電力増幅器３１で増幅して、サーキュレータ３０を介してアンテナ１３から電磁波を出力して無線タグを起動させる。
【００２４】
無線タグにデータを送信する場合には、符号化部３９にて符号化した信号を局部発振器３４の出力により振幅変調を行う。無線タグから信号を受信するときには、無線タグ通信装置から無変調搬送波を送信している状態で、無線タグがアンテナ端のインピーダンスを制御(バックスキャッタ)し、これによって反射状態が変わり、これを無線タグ通信装置のアンテナ１３で検出する。受信した電磁波信号は、サーキュレータ３０を介して直交復調され、例えば同期クロックを生成して、予め決められたプリアンブルを検出して、データの先頭を検出し、復号して受信データを得る。また、誤り検出符号によって、誤りの有無を検出するようにすることもできる。図３に示す構成では、直交復調の同相成分での復調と直交成分での復調のどちらかで誤りがなければ正しくデータを受信したとする構成になっている。
【００２５】
質問応答生成検出部２１は、上記乗算器３３ａの乗算出力を入力信号としてＩ信号線分を復調するＩ信号成分復調部３６ａと、上記乗算器３３ｂの乗算出力を入力信号としてＱ信号線分を復調するＱ信号成分復調部３６ｂと、これら復調部において復調された信号から、無線タグから送信されてきた応答信号を検出する応答信号検出部３７と、無線タグに送信する質問信号を生成する質問信号生成部３８と、この質問信号生成部３８により生成された質問信号を符号化し符号化した質問信号を振幅変調部３２に送る符号化部３９と、Ｉ信号成分復調部３６ａ及びＱ信号成分復調部３６ｂに入力されるＩ信号成分及びＱ信号成分から受信信号としてのレベルを検出する受信信号レベル検出部４０とを有する。
【００２６】
受信信号レベル検出部４０は、I信号とQ信号の振幅の大きい方の振幅を検出して出力する。あるいは、I信号とQ信号は直交しているので、ベクトル合成した振幅（＝√(I2＋Q2)、IとQはそれぞれ、I信号の振幅、Q信号の振幅）を検出して出力してもよい。
【００２７】
受信信号レベル検出部４０の出力は、通信状態検出判定部２２に供給される。符号化部３９の出力、すなわち符号化された質問信号は、振幅変調部３２に入力され、変調信号として局部発振器３４から入力される発振信号により振幅変調された質問信号は、電力増幅部３１で電力増幅されて、サーキュレータ３０からアンテナ１３に送られ、無線タグに向けて送信される。
【００２８】
応答信号検出部３７にて得られた応答信号は通知部２６に送られ、表示部１５に表示したり、予め定めた所定の条件を満たす場合には、音声警告部２６ａにより音または音声で使用者に警告を発する。
【００２９】
通信状態検出判定部２２の構成例を図４に示す。この通信状態検出判定部２２は、質問応答生成検出部２１の受信信号レベル検出部４０からの信号レベルを受けて、通信状態を検出する通信状態検出部４３と、この通信状態検出部４３の出力を予め定めた通信状態と比較する状態比較部４４とを有し、この比較結果に応じて送信電力を変更する必要があれば、送信電力制御信号を送信電力制御部２３に送るとともに、通知部２６にも送る。通信状態検出部４３は、実際にはこの無線タグ通信装置における検知通信状態値Ｄを検知することになる。
【００３０】
なお、ここで通信状態とは、所定時間内にタグから正しく情報を入手できた回数(読取回数)、或いは、読取率、または受信電力レベルに対応し、例えば無線タグ通信装置から送信された信号が指定された無線タグにより受信される受信電力レベルを意味する。この通信状態をここでは、検知通信状態値としてＤで表す。
【００３１】
送信電力記憶部２４の構成例を図５に示す。この送信電力記憶部２４は、通信状態が良好な時の送信電力を時系列的に所定時間ごとに順次記憶する時系列記憶部５１と、この時系列記憶部５１に記憶される送信電力のうち、通信が良好な時の最大電力値が記憶される最大値記憶部５２と、通信が良好な時の最小電力値が記憶される最小値記憶部５２と、通信が良好な時の最も新しい検知送信電力値Ｄが記憶される最新値記憶部５４とを有する。
【００３２】
次に、この実施形態につきフローチャートを用いて、この無線タグ通信装置の（ａ）無線タグ探索中の動作、（ｂ）探索開始時の送信電力初期値Ｐ１の決定、（ｃ）探索終了時の最小値Ｐｍｉｎの決定について、順次説明する。
【００３３】
＜（ａ）無線タグ探索中の動作＞
いま、この実施形態の無線タグ通信装置は、図６に示すように、無線タグＢ１〜Ｂ５、Ｃ１〜１０、Ｄ１〜１０が混然となっている領域の中で、無線タグＤ８と通信を行うものとする。本体１１とアンテナ１３から成る無線タグ通信装置は移動可能なモバイル型であり、使用者は位置Ａから位置Ｂに移りさらに位置Ｃに移動する。
【００３４】
使用者が位置Ａにいて送信電力Ｐ１により無線タグと無線通信できる領域を通信可能領域ＡＰ１で表す。以下同様に、位置Ａ，Ｂ，Ｃ，Ｃ′と送信電力Ｐ１，Ｐ２，Ｐ３の組み合わせで各々の場合に無線タグと通信できる通信可能領域を表示する。
【００３５】
無線タグ通信装置により無線タグＤ８を探索中のフローチャートを図７に示す。まず、位置Ａにいる使用者によって、入力部２５の入力キー１４により入力され、無線タグ指定部２５ｂで無線タグD8が指定される。
【００３６】
使用者は、位置Ａで送信電力はP1で、無線タグＤ８の探索及びこの無線タグからの情報の読取を開始する。この場合の通信可能領域は実線で示す通信可能領域ＡＰ１であり、探索及び情報の読み取りを開始する領域は十分広い範囲となるよう、送信電力を大きくする。
【００３７】
図７のステップＳ７０１で探索対象のＩＤと送信電力初期値Ｐ１を設定する。この場合の通信可能領域ＡＰ１には、無線タグＤ８が入っており、使用者は本体１１とアンテナ１３を少し動かすことで無線タグD8から情報を読み取ることができる。
【００３８】
次のステップＳ７０２では、このときの通信状態を検知する。
【００３９】
通信状態は、所定時間内にタグから正しく情報を入手できた回数(読取回数)、或いは、読取率、或いは、受信信号レベル検出部４０で検出した受信信号レベル、などで、表される。次にステップＳ７０３では、検知通信状態値Ｄが第１の閾値（第１の通信状態値）ａより大きいか否かの比較が、通信状態検出判定部２２の状態比較部４４で行われる。通信状態検出判定部２２の状態比較部４４で、通信状態（検知通信状態値Ｄ）と閾値aを比較し、通信状態が閾値aを超えている場合には、通信状態良好と判断する。
【００４０】
検知通信状態値Ｄが、閾値ａより大きいときには、ステップＳ７０４において、この時の送信電力値が最小値ｍｉｎであるか、図示しない比較部で比較し、判定される。この時の送信電力値が最小値ｍｉｎより小さいときには、探索は終了となる。この最小値ｍｉｎの求め方については、後の（ｃ）探索終了時の動作で詳しく説明する。
【００４１】
使用者が位置Aで矢印６１にアンテナ１３を向けている場合には、図6に示すように、探索対象の無線タグD8は通信可能領域ＡＰ１に入っており通信状態は良好となる。
【００４２】
図示しない比較部において、この時の送信電力値が最小値Ｐｍｉｎより大きいと判定されたときはステップＳ７０５に移り、この時の送信電力値が、送信電力記憶部２４の系列記憶部５１（図５参照）に記憶される。
【００４３】
ここで、送信電力記憶部２４の各記憶部に記憶される検知送信電力値について図８により説明する。時系列記憶部５１には、通信状態が良好のとき、すなわち検知通信状態値Ｄが、閾値ａより大きいときの送信電力値Ｐ１ｉが順次、記憶されていく。
【００４４】
その記憶された送信電力値のうち、最大の電力値Ｐ１ｍａｘが最大値記憶部５１に記憶され、最小の電力値Ｐ１ｍｉｎが最小値記憶部５３に記憶される。最新値記憶部５４には通信状態が良好な最も新しい電力値Ｐ１ｌａｓｔが記憶される。ここでは最初の最大値は、Ｐ１としている。
【００４５】
次のステップＳ７０６では、通信状態検出判定部２２から送信電力制御部２３に電力制御信号を送り、送信電力を１ステップ下げる。そして、ステップＳ７０２に戻る。
【００４６】
一方、ステップＳ７０３において通信状態値Ｄが第１の閾値ａより大きくないときには、ステップＳ７０７に移り、検知送信電力値Ｄが第２の閾値（第２の通信状態値）ｂより小さいかどうか、あるいは、送信電力の再設定入力があるかどうか検知される。
【００４７】
検知通信状態値Ｄが第２の閾値ｂより小さいかどうかの比較は、通信状態検出判定ｂ２２の状態比較部４４においてなされる。また、送信電力の再設定は、入力部２５の入力キー１４からあるいは、マウス２５ａにより使用者が所定の操作を行い、再設定指示部２５ｃを通して送信電力制御部２３に再設定制御信号が入力されることによりなされる。
【００４８】
ステップＳ７０７において、検知通信状態値Ｄが閾値ｂより小さいときには、ステップＳ７０８において、例えば送信電力記憶部２４の最新値記憶部５４から通信状態が良好なときの最新値が読みだされる。あるいは、最適な送信電力値が記憶されていない場合には記憶された値から算出される。再設定が入力部２５から要求された場合にも、例えば送信電力制御部２３の最新値記憶部５４から読みだされて、送信電力制御ｂ２３はその値に、送信電力を設定する。
【００４９】
このように、検知送信電力値Ｄが、閾値ｂより小さくなるのは、例えば図６において使用者が位置Ｃ′の位置に移動して、無線タグＤ８とまったく通信できなくなったときなどに生ずる。
【００５０】
そして、次のステップＳ７０９では、送信電力制御部２３から上記の送信電力再設定値が無線部に設定され、通信状態を検知するステップＳ７０２に戻る。
【００５１】
また一方、ステップＳ７０７において、検知通信状態値Ｄが閾値ｂより小ではないことが、通信状態検出判定部２２において判定されたときには、その旨の送信電力制御信号が送信電力制御部２３に送られ、送信電力が１ステップ上げられる。その後、ステップＳ７０２に戻って、通信状態を検知する。
【００５２】
このようにして、位置Ａにおいて、最初送信電力Ｐ１で信号が送信され、通信状態が良好な場合には、徐々に送信電力を下げていく。そして、送信電力が小さくなり、検知通信状態値Ｄが閾値ａよりも小さくなり、かつ閾値ｂよりも大きい場合に、送信電力を１ステップ上げる。したがって、位置Ａで最初の送信電力Ｐ１を送信するときには、通信可能領域はＡＰ１であるが、徐々に送信電力が小さくされ、通信可能領域は無線タグＤ８に送信電力が適度に届くＡＰ２（この時の送信電力がＰ２）となる。
【００５３】
図６において、使用者が矢印６１にしたがって位置Ｂに移動すると通信可能領域はＢＰ１となる。位置Ｂは、無線タグＤ８に近づいているから先の送信電力Ｐ２で送信すれば当然、無線タグＤ８よりも遠くまでをカバーすることになる。図６において破線で示す通信可能領域ＢＰ２がこのことを表している。この状態から、図７のフローチャートでステップＳ７０２から動作させると、通信状態が良好である限りステップＳ７０３〜Ｓ７０６に行き、更にステップＳ７０２に戻るので、送信電力は小さくされる反面第１の閾値ａより通信状態が小さくなると送信電力を１ステップ上げる（Ｓ７０２，Ｓ７０３，Ｓ７０７〜Ｓ７０９，Ｓ７０２）ので、送信電力はＰ３となり、通信可能領域は位置Ｂから辛うじて無線タグＤ８に電波が届くＢＰ３になる。
【００５４】
更に、使用者が矢印６２にしたがって位置Ｃに移動し、この位置から送信電力Ｐ３で無線タグＤ８の探索を続ける。このときの通信可能領域は図６に一点鎖線で示すＣＰ３である。この位置Ｃにおいても同様にして送信電力を１ステップずつ下げていき、無線タグＤ８に辛うじて送信電波が届く送信電力Ｐ４となる。このときの通信可能領域がＣＰ４となる。このようにして、本体１１とアンテナ１３を有する無線タグ通信装置を携えて無線タグＤ８に近づいていくと、無線タグとの通信を可能な範囲で送信電力を小さくすることができる。
【００５５】
通信状態検出判定部２２の状態比較部４４における判定結果などは、通知部２６に送られ、表示部１５の表示画面上に表示されあるいは、音声警告部２６ａで音声により例えばブザーで警告される。
【００５６】
上述のように、無線タグとの通信状態はブザーで警告あるいは表示部１５に表示されるため、使用者は探索対象の無線タグの方向を検出することができる。使用者が位置Aに留まった状態では、上述のフローにより、送信電力が下がっていくため、送信電力がＰ２になると通信状態が閾値a以下になるが、使用者が、検出した方向に進んでいけば、図６に示す位置B、位置Cを通って、通信状態良好のまま探索対象の無線タグD8に辿り着くことができる。そして、送信電力が下がり、送信電力値が最小値Ｐｍｉｎになると終了する。
【００５７】
また、使用者が検出した方向に向かって動くよりも、送信電力制御部が送信電力を下げるのが早い場合には、通信状態は閾値aを超えない。通信状態が第１の閾値a以下で第２の閾値b以上の場合には、送信電力制御部は、送信電力を１段階上げる（図７のＳ７１０参照）。使用者が位置Aに留まっている場合には、送信電力はＰ2とＰ2の１ステップ上を繰り返すことになる。なお、閾値bは、通信状態がこの閾値bを下回った場合には、対象の無線タグDが通信可能範囲から外れていると判断するための第２の閾値（第２の通信状態値）である。
【００５８】
また、使用者が探索対象の無線タグD8の方向とは異なる方向（例えば矢印６３）に進んでしまうこともある。使用者が図6に示すように位置C'に行ってしまった場合には、通信状態は第２の閾値bを下回ってしまう。通信状態がこの閾値bを下回った場合には、通信状態検出判定部２２は、探索対象の無線タグD8を見失ったと判断して、送信電力制御部２３は、送信電力記憶部２４に記憶されている送信電力値を選択しあるいは記憶されている送信電力値から適切な送信電力を算出した値で、送信電力制御部２３にて送信電力を再設定する。
【００５９】
再設定する送信電力の選択に関しては、最新値を選択すれば、直近の通信状態良好であった状態にすることができるため、本実施例では、図５に示す送信電力記憶部２４では、最新値記憶部５４に記憶されている最新値を選択して再設定するとして説明している。しかし、送信電力記憶部２４に記憶されている値として最新値でない送信電力値を設定することも可能である。
【００６０】
図２には示していないが、送信電力制御部２３から、送信電力を再設定した旨を通知部２６に通知する。使用者は通知部２６の表示部１５の表示画面上で通信状態が良好であった位置Ｂに戻る旨を知る。
【００６１】
無線タグＤ８を見失った場合（ステップＳ７０７でＹ）に、表示画面上には通信状態が良好であった位置に移動するよう促す表示を出すようにしてもよい。また、送信電力再設定値を、最新値にしたのか、それ以外の値にしたのかも通知部２６の表示部１５で表示させて、使用者がどの位置に移動すればいいかが判断できるようにしてもよい。
【００６２】
あるいは、通信状態である検知送信電力値Ｄが閾値bを下回った場合でなく、使用者が入力部２５で、送信電力の再設定を入力することによって、送信電力制御部２３は、同様に、送信電力記憶部２４に記憶されている送信電力あるいは送信電力範囲から送信電力を選択し、送信電力制御部２３にて送信電力を再設定すると共に、送信電力を再設定した旨を通知部２６に通知するようにしてもよい。
【００６３】
このように使用者は、探索対象の無線タグを見失った場合でも、通信状態良好の状態に戻ってリスタートすることができ、初期状態に戻り、送信電力を最初の大きな値にすることなく探索を効率的に再開することができる。
【００６４】
また、通信状態（検知通信状態値Ｄ）が第１の閾値a以下で第２の閾値b以上の場合に送信電力を上げる機能を設けたことにより、探索対象の無線タグを見失うことを防止することができる。
【００６５】
なお、上記図７に示す動作の説明では、通信状態が閾値bを下回った場合に直ちに送信電力を再設定するとしているが、通信状態が閾値bを下回っているのが所定時間以上続いた場合に送信電力を再設定するようにしてもよい。
【００６６】
あるいは通信状態が閾値bを下回っているのを複数回検出した場合に送信電力を再設定してもよい。通信状態が閾値aを超えて送信電力を下げる場合、および通信状態が閾値a以下かつ閾値b以上で送信電力を上げる場合についても同様である。
【００６７】
＜（ｂ）探索開始時の送信電力初期値Ｐ１の決定＞
次に、この実施形態の無線タグ通信装置において、探索開始ときの送信電力の初期値Ｐ１の値をどのように決めるかについて図９に基づいて説明する。
【００６８】
実際に使用者が使用する環境で、実際に探索する物品に無線タグを付け、探索を開始するときにありうる、物品（無線タグ貼付）との最長距離の位置で、本機能を用いることで、探索を効率よく行うことができる探索開始時の送信電力の初期値を、簡単に検出し設定することができる。この場合の送信電力の初期値の決定においても、図２、図４、図５の構成を用いることが可能である。
【００６９】
図示しないが、使用者が入力部２５に入力するなどして本機能を選択すると、ステップＳ９０１で、送信電力制御部２３は送信電力として可能な範囲で最大値を設定し、前記説明と同様に、対象となる無線タグのとの通信（読取）を開始する。この場合にも通信状態は検知される通信状態の値（検知通信状態値Ｄ）で表す。図９では、検知通信状態値Ｄは２つの閾値ｃ，ｄと比較される。閾値cは通信状態が非常に良好かどうかを判断するための値であり、閾値dは通信状態が許容できるかどうかを判断するための値である。当然閾値ｄは閾値ｃより小さい。
【００７０】
ステップＳ９０２では、通信状態である通信状態値を検知する。そして、次のステップＳ９０３では検知通信状態値Ｄが閾値ｃより大きいか否かが比較判断される。この比較判断は、通信状態検出判定部２２においてなされる。
【００７１】
通信状態検出判定部２２で送信電力を検知し、検知通信状態値Ｄが閾値cを超えている場合には、ステップｓ９０４に移り、そのときの送信電力値を送信電力記憶部２４に記憶する。
【００７２】
このときには、ステップＳ９０５で、このときの送信電力値が、最小値Ｐｍｉｎになっていないか検知する。送信電力値が最小値Ｐｍｉｎになっていない場合には、ステップＳ９０６で、送信電力を１ステップ下げる。
【００７３】
すなわち、通信状態検出判定部２２は、送信電力が大きすぎると判断し送信電力制御部２３は、送信電力記憶部２４にそのときの送信電力値を記憶すると共に、送信電力を１ステップ下げる。送信電力が設定可能な最小値の場合（ステップＳ９０５でＹ）には、これよりも送信電力を下げることができないため、この送信電力を探索開始時送信電力初期値とする。
【００７４】
通信状態が閾値cを越えていな場合（ステップＳ９０３でＮ）には、通信状態検出判定部２２は、その中の状態比較部４４において、検知送信電力値Ｄが閾値dを超えているかどうかを検出する。
【００７５】
通信状態が、閾値c以下でしかも閾値dより大きい場合（ステップＳ９０７でＹ）には、ステップＳ９０８で、送信電力制御部２３は送信電力記憶部２４にそのときの検知送信電力値を記憶する。送信電力値が設定可能な最小値Ｐｍｉｎよりも大きければ、ステップＳ９０５においてＮとなり、ステップＳ９０６で送信電力を１ステップ下げる。
【００７６】
このようにして、検知送信電力値Ｄが閾値ｃより十分大きい場合には、ステップＳ９０２からＳ９０６のループを回り、そのときの送信電力値を記憶するととともに送信電力を１ステップずつ下げていく。また、検知送信電力値Ｄが閾値ｃより小さくしかも閾値ｄより大きい場合にはその送信電力値を記憶していきながら、送信電力をさげていく。
【００７７】
検知通信状態値Ｄが閾値dを下回っている場合（ステップＳ９０７でＮ）には、通信状態検出判定部２２は、通信状態が悪すぎると判断する。そして、ステップＳ９０９で、送信電力制御部２３は、送信電力記憶部２４に記憶した送信電力値から適当な送信電力値を選択しあるいは算出して、ステップＳ９１０において探索開始時の送信電力初期値Ｐ１とする。
【００７８】
このように、無線タグ通信装置を実際に使用する環境において、送信電力の初期値Ｐ１にしておけば、探索開始ときにそれより大きい送信電力で探索を行う必要がない。
【００７９】
ここで、送信電力初期値Ｐ１を選択又は算出する場合について説明する。
【００８０】
図１０（ａ）（ｂ）（ｃ）（ｄ）は、本実施形態の探索開始時  送信電力検出・設定機能の場合の送信電力記憶部２４に記憶される送信電力値の例である。図１０（ａ）（ｂ）に示すように、閾値cを超えた場合の送信電力の領域、閾値c以下かつ閾値d以上の場合の送信電力の領域があり、それぞれとき系列で保存される。
【００８１】
また、図１０（ｃ）（ｄ）に示すように、閾値c以下かつ閾値d以上の場合の送信電力の最大値と最小値が検出され、記憶されている。閾値dを下回った場合には、ＰｓmaxとＰｓminの平均を算出し、この平均値と一番近い送信電力を検出して、探索開始時の送信電力初期値とする。あるいは、使用者が入力部から設定して選択してもよい。閾値c以下かつ閾値d以上の場合が存在しなかった場合には、閾値cを超えた送信電力の中の最小値を選択する。或いは、使用者が入力部から設定して選択してもよい。さらに、閾値cを超えた送信電力も存在しなかった場合には、閾値dを下回った場合の送信電力最大値を選択することになるが、この場合は、設定可能な送信電力の最大値Ｐ1になる。
【００８２】
これにより、使用者は、実施の使用環境で、物品を探索する最長距離での、最適な探索開始時の送信電力初期値を簡単に設定することができ、使い勝手が向上する。探索開始時の送信電力初期値を最適にすることで、探索を効率的に行うことができ、短時間で探索できるようになる。
【００８３】
探索シーンは、広い倉庫全域で探索する場合や、特定の棚に限定して探索する場合など、様々であり、探索する距離も様々である。例えば、使用者と探索物の間の距離に対して送信電力が大きすぎる場合には、送信電力を下げていく時間が必要になり、時間がかかると共に、送信電力が大きすぎると方向検出が難しくなる。また、使用者と探索物の間の距離に対して送信電力が小さい場合には、探索物に貼付された無線タグを読み取ることができず、探索に時間がかかってしまう。本機能により、効率的に探索し、短時間で探索できる、探索開始時の送信電力の検出と設定を簡単に行うことができる。
【００８４】
＜（ｃ）探索終了時の最小値Ｐｍｉｎの決定＞
次に、図７のＳ７０４及び図９におけるステップＳ９０５において探索を終了する送信電力値Ｐｍｉｎの決定の仕方について、図１１に示すフローチャートに基づいて説明する。上記と同様に、図２乃至図５に示す構成によりこれらの動作が行われる。閾値ｆは閾値ｅより小さい。
【００８５】
図１１において、ステップＳ１１０１で送信電力を最大にして無線タグの探索を開始する。ステップＳ１１０２で通信状態（通信状態値）を検知し、ステップＳ１１０３で検知通信状態Ｄを閾値ｅと比較する。この比較は、通信状態検出判定部２２の状態比較部４４においてなされる。
【００８６】
検知通信状態Ｄが閾値ｅより大きいときには、ステップＳ１１０４でそのときの送信電力値を、送信電力記憶部２４に記憶し、次のステップＳ１１０５において、送信電力値が、最小値かどうかを判断する。そうでなければ、ステップＳ１１０６で送信電力を１ステップ下げて、ステップＳ１１０２に戻る。
【００８７】
一方、ステップＳ１１０３において、検知通信状態Ｄが閾値ｅ以下である場合には、ステップＳ１１０７に移り、検知通信状態Ｄを閾値ｆと比較する。この比較も通信状態検出判定部２２の状態比較部４４においてなされる。
【００８８】
検知通信状態Ｄが閾値ｆより大きい場合には、ステップＳ１１０８において、このときの送信電力値を記憶し、ステップＳ１１０５に移る。この場合にもステップＳ１１０６を通ることになるので、検知通信状態Ｄが閾値ｆより大きい場合には送信電力を１ステップ下げることになる。
【００８９】
一方、ステップＳ１１０７でＤが閾値ｆ以下の場合には、ステップＳ１１０９に移り、送信電力記憶部２４に記憶されている送信電力値から探索終了電力値を選択又は算出する。そして、次のステップＳ１１１０でこの選択又は算出された送信電力値を探索終了時の送信電力値Ｐｍｉｎとし、探索終了時に送信電力値を決定するプログラムは終了する。このようにして決定した送信電力最小値Ｐｍｉｎを図７に示すステップＳ７０４で、最小値として用いることになる。
【００９０】
実際に使用者がこの無線タグ通信装置を使用する環境で、実際に探索する物品に無線タグを付け、探索を終了開始するときに、物品に対して絞り込みたい読取範囲の位置で、本機能を用いることにより探索を効率よく行い、終了することができる探索終了時の送信出力を、簡単に検出し、設定することができる。
【００９１】
これにより、使用者は、実使用環境で、探索を終了するときの読取範囲に対応した最適な探索終了時の送信出力を簡単に設定することができ、使い勝手が向上する。探索終了時の送信出力を最適にすることで、探索を効率的に行うことができ、短時間で探索できるようになる。探索シーンにより、物品の間隔は様々であり、探索終了時の送信出力が大きすぎる場合には、探索対象を絞り込むことができずに探索が終了してしまう。逆に、探索終了時の送信出力が小さすぎる場合には、必要以上に探索対象の無線タグに接近する必要があり、物品の外形や形状或いは無線タグ貼付位置によっては、接近できないこともあり、不都合である。本機能により、最適な探索終了時の送信出力を簡単に検出、設定できれば、効率よく短時間で探索できるようになる。
【００９２】
なお、上記実施形態の構成を示す図３では、サーキュレータを用いる場合について説明したが、一般的にはサーキュレータに限られず方向性結合器であればよい。
【００９３】
以上詳細に述べたように、この実施形態によれば、探索対象となっている無線タグを見失った場合でも、簡単に迅速にしかも効率よくリカバリできる無線タグ通信方法、無線タグ通信装置及び無線タグ通信プログラムが得られる。
【００９４】
本発明のいくつかの実施形態を説明したがこれらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１１・・・・本体
１２・・・・アンテナケーブル
１３・・・・アンテナ
１４・・・・入力キー
１５・・・・表示部
１６・・・・グリップ
１７・・・・筐体
２０・・・・無線部
２１・・・・質問応答生成検出部
２２・・・・通信状態検出判定部
２３・・・・送信電力制御部
２４・・・・送信電力記憶部
２５・・・・入力部
２５ｂ・・・・無線タグ指定部
２５ｃ・・・・再設定指示部
２６・・・・通知部
２７・・・・インターフェース（ＩＦ）部
２８・・・・電源部
２９・・・・全体制御部
３０・・・・サーキュレータ
３１・・・・電力増幅部
３２・・・・振幅変調部
３３ａ、３３ｂ・・・・乗算器
３４・・・・局部発振器
３５・・・・９０度移相器
３６ａ・・・・Ｉ信号成分復調部
３６ｂ・・・・Ｑ信号成分復調部
３７・・・・応答信号検出部
３８・・・・質問信号生成部
３９・・・・符号化部
４０・・・・受信信号レベル検出部
４３・・・・通信状態検出部
４４・・・・状態比較部
５１・・・・とき系列記憶部
５２・・・・最大値記憶部
５３・・・・最小値記憶部
５４・・・・最新値記憶部
【図１】
2014150541.tif 000003
【図２】
2014150541.tif 000004
【図３】
2014150541.tif 000005
【図４】
2014150541.tif 000006
【図５】
2014150541.tif 000007
【図６】
2014150541.tif 000008
【図７】
2014150541.tif 000009
【図８】
2014150541.tif 000010
【図９】
2014150541.tif 000011
【図１０】
2014150541.tif 000012
【図１１】
2014150541.tif 000013